(57)【要約】【課題】ユーザに意識させることなく、機能制限に応じた遠隔操作を行わせることができるようにする。【解決手段】ＨＤＤレコーダ３０がメインリモコン装置２０からの全てのモード選択、又は省エネリモコン装置１０からの消費電力が少ないモード選択の受け付けを行い、省エネリモコン装置１０からの消費電力が少ないモード選択の受け付けを、メインリモコン装置２０からの消費電力が少ないモード選択の受け付けを許可するモード選択を受け付けることで実行することができるようにした。【選択図】図１
2007172752.tif 000002
【特許請求の範囲】
【請求項１】
電子機器と、
前記電子機器の機能に対応する全てのモード選択に対応した操作ボタンを有する第１のリモコン装置と、
前記電子機器の機能のうち、消費電力が少ないモード選択に対応した操作ボタンを有する第２のリモコン装置とを備え、
前記第２のリモコン装置は、前記電子機器が前記第１のリモコン装置からの使用許可のモード選択を受け付けることで、前記電子機器における操作モードが実行されることを特徴とするリモコンシステム。
【請求項２】
前記第１のリモコン装置は、少なくとも、前記使用許可のモード選択を行うモード切替ボタンと、前記使用許可のモード選択を示す表示手段とを有し、
前記電子機器は、少なくとも、前記第１のリモコン装置の前記モード切替ボタンの操作に応じて、前記第２のリモコン装置による操作モードへの切り替えを行うか否かを判断し、切り替えを行うと判断した場合、前記第２のリモコン装置からのモード選択に応じた制御を行うモード切替制御手段を有し、
前記第２のリモコン装置は、前記電子機器に送信するモード選択の信号に固有データを含ませる手段を有している
ことを特徴とする請求項１に記載のリモコンシステム。
【請求項３】
電子機器の遠隔操作を行うリモコン装置であって、
前記電子機器の機能のうち、消費電力が少ないモード選択に対応した操作ボタンと、
前記電子機器に送信するモード選択の信号に固有データを含ませる手段とを備える
ことを特徴とするリモコン装置。
【請求項４】
電子機器の機能に対応する全てのモード選択を受け付けるステップと、
消費電力が少ないモード選択を受け付けるステップと、
前記消費電力が少ないモード選択の受け付けを許可するモード選択を受け付けるステップとを有し、
前記許可のモード選択が受け付けられると、前記消費電力が少ないモード選択による操作モードが実行されることを特徴とする遠隔制御方法。
【請求項５】
前記消費電力が少ないモード選択を受け付ける際、そのモード選択の信号に固有データが含まれているか否かを判断するステップを有することを特徴とする請求項４に記載の遠隔制御方法。
【発明の詳細な説明】
【技術分野】
【０００１】
本発明は、ＨＤＤレコーダ等の電子機器における、消費電力が多いモードの使用を禁止する機能制限に適したリモコンシステム、リモコン装置及び遠隔制御方法に関する。
【背景技術】
【０００２】
たとえばＨＤＤレコーダ等の電子機器では、記録、再生、停止、早送り、早戻し等の機能の実行をリモコン装置によって指示することができる。また、このようなリモコン装置では、それぞれの機能を実行させるために、それぞれの機能に対応させた操作ボタンが設けられている。
【０００３】
ところが、それぞれの機能に対応させた操作ボタンが設けられているようにすると、たとえば同時録画再生、タイムシフト（追っかけ再生）、ダブル録画、クイックスタート、オートパワーセーフモード等のような機能の増加に伴い、それぞれに対応した操作ボタンが追加されることになり、操作ボタンの増加に伴って操作性の低下や装置の大型化等の問題が生じてしまう。
【０００４】
このような問題を解消するようにしたものとして、特許文献１では、リモコン装置の表示部にモードの名称が全て表示されているようにし、その表示内容から必要なモードが選択されるようにすることで、機能が増加した場合であっても操作ボタンの数が増加しないようにしたリモコン装置を提案している。
【特許文献１】特開平１０−４０６０４号公報
【発明の開示】
【発明が解決しようとする課題】
【０００５】
ところで、上述した特許文献１のように、リモコン装置の表示部にモードの名称が全て表示されているようにすることで、たとえばＨＤＤレコーダ等の電子機器においての同時録画再生、タイムシフト（追っかけ再生）、ダブル録画、クイックスタート、オートパワーセーフモード等のような消費電力が多いモードの使用を禁止する機能制限を、そのモードの選択によって行うことは可能であると考えられる。
【０００６】
ところが、たとえばＨＤＤレコーダ等の電子機器に備わっている単一のリモコン装置により、上述した消費電力が多いモードの機能制限を表示部に表示されたモードの選択によって行うようにした場合、ユーザの意識に頼るところが多いため、ＨＤＤレコーダ等の電子機器においての機能制限をユーザに意識させることなく行わせることは困難であるという問題があった。
【０００７】
本発明は、このような状況に鑑みてなされたものであり、上記問題点を解決することができる表示装置及び表示方法を提供することを目的とする。
【課題を解決するための手段】
【０００８】
本発明のリモコンシステムは、電子機器と、前記電子機器の機能に対応する全てのモード選択に対応した操作ボタンを有する第１のリモコン装置と、前記電子機器の機能のうち、消費電力が少ないモード選択に対応した操作ボタンを有する第２のリモコン装置とを備え、前記第２のリモコン装置は、前記電子機器が前記第１のリモコン装置からの使用許可のモード選択を受け付けることで、前記電子機器における操作モードが実行されることを特徴とする。
また、前記第１のリモコン装置は、少なくとも、前記使用許可のモード選択を行うモード切替ボタンと、前記使用許可のモード選択を示す表示手段とを有し、前記電子機器は、少なくとも、前記第１のリモコン装置の前記モード切替ボタンの操作に応じて、前記第２のリモコン装置による操作モードへの切り替えを行うか否かを判断し、切り替えを行うと判断した場合、前記第２のリモコン装置からのモード選択に応じた制御を行うモード切替制御手段を有し、前記第２のリモコン装置は、前記電子機器に送信するモード選択の信号に固有データを含ませる手段を有しているようにすることができる。
本発明のリモコン装置は、電子機器の遠隔操作を行うリモコン装置であって、前記電子機器の機能のうち、消費電力が少ないモード選択に対応した操作ボタンと、前記電子機器に送信するモード選択の信号に固有データを含ませる手段とを備えることを特徴とする。
本発明の遠隔制御方法は、電子機器の機能に対応する全てのモード選択を受け付けるステップと、消費電力が少ないモード選択を受け付けるステップと、前記消費電力が少ないモード選択の受け付けを許可するモード選択を受け付けるステップとを有し、前記許可のモード選択が受け付けられると、前記消費電力が少ないモード選択による操作モードが実行されることを特徴とする。
また、前記消費電力が少ないモード選択を受け付ける際、そのモード選択の信号に固有データが含まれているか否かを判断するステップを有するようにすることができる。
本発明のリモコンシステム、リモコン装置及び遠隔制御方法では、電子機器が第１のリモコン装置からの全てのモード選択、又は第２のリモコン装置からの消費電力が少ないモード選択の受け付けを行い、第２のリモコン装置からの消費電力が少ないモード選択の受け付けを、第１のリモコン装置からの消費電力が少ないモード選択の受け付けを許可するモード選択を受け付けることで実行することができ、第２のリモコン装置のモード選択に機能制限を持たせることができる。
【発明の効果】
【０００９】
本発明のリモコンシステム、リモコン装置及び遠隔制御方法によれば、第２のリモコン装置のモード選択に機能制限を持たせるようにしたので、ユーザに意識させることなく、機能制限に応じた遠隔操作を行わせることができる。
【発明を実施するための最良の形態】
【００１０】
本実施形態では、電子機器が第１のリモコン装置からの全てのモード選択、又は第２のリモコン装置からの消費電力が少ないモード選択の受け付けを行い、第２のリモコン装置からの消費電力が少ないモード選択の受け付けを、第１のリモコン装置からの消費電力が少ないモード選択の受け付けを許可するモード選択を受け付けることで実行することができるようにし、第２のリモコン装置のモード選択に機能制限を持たせるようにすることで、ユーザに意識させることなく、機能制限に応じた遠隔操作を行わせることができるようにした。
【実施例】
【００１１】
以下、本発明の実施例の詳細について説明する。図１は、本発明のリモコンシステムの一実施例の概要を説明するための図である。
【００１２】
図１に示すように、リモコンシステムは、第２のリモコン装置としての省エネリモコン装置１０、第１のリモコン装置としてのメインリモコン装置２０、電子機器としてのＨＤＤレコーダ３０を備えている。省エネリモコン装置１０は、ＨＤＤレコーダ３０用のメインリモコン装置２０とは別に用意されているものである。また、ＨＤＤレコーダ３０は、図示しないテレビに接続されているものとする。
【００１３】
すなわち、省エネリモコン装置１０には、ＨＤＤレコーダ３０での消費電力が多いモードの使用を禁止する機能制限を設けるために、消費電力の少ないモードを選択できる、たとえば録画ボタン１０ａ、再生ボタン１０ｂ、一時停止ボタン１０ｃ、停止ボタン１０ｄ、早送りボタン１０ｅ、早戻しボタン１０ｆが設けられている。なお、符号１１はボリュームボタンである。また、省エネリモコン装置１０によるモード選択は、メインリモコン装置２０側の後述のモード切替ボタン２２による操作によって使用できるようになっている。
【００１４】
録画ボタン１０ａは、図示しないテレビの視聴中に、同時録画を指示するものである。再生ボタン１０ｂは、ＨＤＤレコーダ３０内部の図示しないディスク媒体に記録されている映像を表示させる際のモード選択を行うものである。一時停止ボタン１０ｃは、そのディスク媒体の再生を一時的に停止させるモード選択を行うものである。
【００１５】
停止ボタン１０ｄは、そのディスク媒体に記録されている映像の再生を停止させるモード選択を行うものである。早送りボタン１０ｅは、そのディスク媒体に記録されている映像の早送りのモード選択を行うものである。早戻しボタン１０ｆは、そのディスク媒体に記録されている映像の早戻しのモード選択を行うものである。
【００１６】
メインリモコン装置２０は、電源ボタン２１、モード切替ボタン２２、操作ボタン群２３、表示部２４を備えている。電源ボタン２１は、ＨＤＤレコーダ３０の電源をオン／オフする。モード切替ボタン２２は、省エネリモコン装置１０の使用を許可する場合に操作されるものであり、省エネリモコン装置１０の使用を許可した場合、表示手段としてのランプ２２ａが点灯するようになっている。
【００１７】
操作ボタン群２３は、ＨＤＤレコーダ３０の機能に対応させた複数のボタンからなるものであり、記録、再生、停止、早送り、早戻し等のボタンに加え、同時録画再生、タイムシフト（追っかけ再生）、ダブル録画、クイックスタート、オートパワーセーフモード等のボタンを有している。
【００１８】
ここで、同時録画再生、タイムシフト（追っかけ再生）、ダブル録画、クイックスタート、オートパワーセーフモード等は、比較的に消費電力が多いモードであり、メインリモコン装置２０側にのみ設けられている。表示部２４は、操作ボタン群２３のいずれかのボタンの操作内容等を表示する。
【００１９】
また、ＨＤＤレコーダ３０には、たとえば表示部３１、記録媒体装填部３２、操作ボタン群３３、受光部３４が設けられている。表示部３１は、現在の動作モード等を表示する。
【００２０】
記録媒体装填部３２は、ＤＶＤ等のディスク媒体を装填する。操作ボタン群３３は、録画、再生、一時停止、停止、早送り、早戻し等を操作するボタンを有している。受光部３４は、省エネリモコン装置１０及びメインリモコン装置２０からの赤外線信号を受信する。
【００２１】
図２は、上述した省エネリモコン装置１０の内部構成の概要を説明するためのブロック図である。同図に示すように、省エネリモコン装置１０は、少なくとも、入力部１２、メモリ１３、送信部１４、ＣＰＵ１５を備えている。
【００２２】
入力部１２は、上述した録画ボタン１０ａ、再生ボタン１０ｂ、一時停止ボタン１０ｃ、停止ボタン１０ｄ、早送りボタン１０ｅ、早戻しボタン１０ｆのいずれかが操作されると、その操作されたいずれかのボタンを示す信号をＣＰＵ１５に入力する。
【００２３】
メモリ１３は、録画ボタン１０ａ、再生ボタン１０ｂ、一時停止ボタン１０ｃ、停止ボタン１０ｄ、早送りボタン１０ｅ、早戻しボタン１０ｆのそれぞれの録画、再生、一時停止、停止、早送り、早戻しに対応した省エネ操作データ１３ａを記憶している。
【００２４】
なお、この省エネ操作データ１３ａは、後述のメイン操作データ２６ａに含まれる録画、再生、一時停止、停止、早送り、早戻しのデータとほぼ同じものである。相違点は、省エネリモコン装置１０から送信される赤外線信号に省エネリモコン装置１０を示す固有データが含まれていることである。
【００２５】
送信部１４は、ＣＰＵ１５によってメモリ１３から読み出された録画ボタン１０ａ、再生ボタン１０ｂ、一時停止ボタン１０ｃ、停止ボタン１０ｄ、早送りボタン１０ｅ、早戻しボタン１０ｆのいずれかの省エネ操作データ１３ａを赤外線信号として出力する。
【００２６】
ＣＰＵ１５は、入力部１２からの信号に基づき、録画ボタン１０ａ、再生ボタン１０ｂ、一時停止ボタン１０ｃ、停止ボタン１０ｄ、早送りボタン１０ｅ、早戻しボタン１０ｆのいずれかに対応する省エネ操作データ１３ａを読み込み、送信部１４から赤外線信号として出力させる。その際、送信部１４からの赤外線信号には、省エネリモコン装置１０を示す固有データが含められる。
【００２７】
図３は、上述したメインリモコン装置２０の内部構成の概要を説明するためのブロック図である。同図に示すように、メインリモコン装置２０は、少なくとも、入力部２５、メモリ２６、送信部２７、ＣＰＵ２８を備えている。
【００２８】
入力部２５は、上述の電源ボタン２１、モード切替ボタン２２、操作ボタン群２３の記録、再生、停止、早送り、早戻し等のボタンに加え、同時録画再生、タイムシフト（追っかけ再生）、ダブル録画、クイックスタート、オートパワーセーフモード等のボタンのいずれかが操作されると、その操作されたいずれかのボタンを示す信号をＣＰＵ２８に入力する。
【００２９】
メモリ２６は、上述の電源ボタン２１、モード切替ボタン２２、操作ボタン群２３の記録、再生、停止、早送り、早戻し等のボタンに加え、同時録画再生、タイムシフト（追っかけ再生）、ダブル録画、クイックスタート、オートパワーセーフモード等のボタンに対応したメイン操作データ２６ａを記憶している。
【００３０】
送信部２７は、ＣＰＵ２８によってメモリ２６から読み出された上述の電源ボタン２１、モード切替ボタン２２、操作ボタン群２３の記録、再生、停止、早送り、早戻し等のボタンに加え、同時録画再生、タイムシフト（追っかけ再生）、ダブル録画、クイックスタート、オートパワーセーフモード等のボタンのいずれかのメイン操作データ２６ａを赤外線信号として出力する。
【００３１】
ＣＰＵ２８は、入力部２５からの信号に基づき、上述の電源ボタン２１、モード切替ボタン２２、操作ボタン群２３の記録、再生、停止、早送り、早戻し等のボタンに加え、同時録画再生、タイムシフト（追っかけ再生）、ダブル録画、クイックスタート、オートパワーセーフモード等のボタンのいずれかに対応するメイン操作データ２６ａを読み込み、送信部２７から赤外線信号として出力させる。
【００３２】
また、ＣＰＵ２８は、上述の電源ボタン２１、モード切替ボタン２２、操作ボタン群２３の記録、再生、停止、早送り、早戻し等のボタンに加え、同時録画再生、タイムシフト（追っかけ再生）、ダブル録画、クイックスタート、オートパワーセーフモード等のボタンの操作内容等を表示部２４を表示させる。
【００３３】
また、ＣＰＵ２８は、モード切替ボタン２２の操作によって、省エネリモコン装置１０の使用を許可した場合、ランプ２２ａを点灯させる。なお、モード切替ボタン２２が操作される毎に、省エネリモコン装置１０の使用の許可とその使用の不許可とが設定されるようになっている。また、ランプ２２ａは、省エネリモコン装置１０の使用が許可された場合、通常の明るさより暗くなるように点灯させるようにしてもよい。
【００３４】
図４は、上述したＨＤＤレコーダ３０の内部構成の概要を説明するためのブロック図である。同図に示すように、ＨＤＤレコーダ３０は、少なくとも、上述した表示部３１、受光部３４に加え、モード切替判断制御部３５、チューナ部３６、記録再生部３７、出力部３８を備えている。
【００３５】
モード切替判断制御手段としてのモード切替判断制御部３５は、メインリモコン装置２０のモード切替ボタン２２の操作に応じたメイン操作データ２６ａに基づき、省エネリモコン装置１０による操作モードへの切り替えを行うか否かを判断し、切り替えを行うと判断した場合、省エネリモコン装置１０からの省エネ操作データ１３ａに基づき、表示部３１、チューナ部３６、記録再生部３７、出力部３８の動作を制御する。ここで、省エネリモコン装置１０からの省エネ操作データ１３ａは、上述したように、赤外線信号に含まれる省エネリモコン装置１０を示す固有データの有無によって判断することができる。
【００３６】
チューナ部３６は、アナログ放送又はデジタル放送を受信する。記録再生部３７は、チューナ部３６によって受信されたアナログ放送又はデジタル放送の映像等の記録や、記録済みのアナログ放送又はデジタル放送の映像等の再生を行う。出力部３８は、チューナ部３６によって受信されたアナログ放送又はデジタル放送の映像、又は記録済みのアナログ放送又はデジタル放送の再生映像等の出力を行う。
【００３７】
次に、遠隔制御方法について説明する。まず、図５に示すように、ＨＤＤレコーダ３０のモード切替判断制御部３５により、省エネリモコン装置１０の操作モードか否かが判断される（ステップＳ１）。
【００３８】
すなわち、メインリモコン装置２０のモード切替ボタン２２が一度操作されると、上述したＣＰＵ２８により、モード切替ボタン２２に対応するメイン操作データ２６ａが読み込まれ、送信部２７から赤外線信号として出力される。
【００３９】
そして、ＨＤＤレコーダ３０のモード切替判断制御部３５により、そのメイン操作データ２６ａに基づき、省エネリモコン装置１０の操作モードであると判断される。なお、メインリモコン装置２０のモード切替ボタン２２が再度操作されて、そのモード切替ボタン２２に対応するメイン操作データ２６ａが送信部２７から送信された場合、ＨＤＤレコーダ３０のモード切替判断制御部３５により、省エネリモコン装置１０の操作モードが解除されたと判断することができる。
【００４０】
ここで、省エネリモコン装置１０の操作モードでない場合は、メインリモコン装置２０の操作モードが実行される（ステップＳ２）。すなわち、メインリモコン装置２０の上述した操作ボタン群２３の記録、再生、停止、早送り、早戻し等のボタン、あるいは同時録画再生、タイムシフト（追っかけ再生）、ダブル録画、クイックスタート、オートパワーセーフモード等のボタンのいずれかかが操作されると、ＣＰＵ２８により、メモリ２６からいずれかのボタンに対応したメイン操作データ２６ａが読み込まれ、送信部２７からＨＤＤレコーダ３０に送信される。
【００４１】
そして、ＨＤＤレコーダ３０の受光部３４により、そのメイン操作データ２６ａが受け取られると、モード切替判断制御部３５により、そのメイン操作データ２６ａに応じて表示部３１、チューナ部３６、記録再生部３７、出力部３８のいずれかの動作が制御される。
【００４２】
一方、省エネリモコン装置１０の操作モードである場合は、省エネリモコン装置１０の操作モードが実行される（ステップＳ３）。すなわち、省エネリモコン装置１０の上述した録画ボタン１０ａ、再生ボタン１０ｂ、一時停止ボタン１０ｃ、停止ボタン１０ｄ、早送りボタン１０ｅ、早戻しボタン１０ｆのいずれかが操作されると、ＣＰＵ１５により、メモリ１３からいずれかのボタンに対応した省エネ操作データ１３ａが読み込まれ、送信部１４からＨＤＤレコーダ３０に赤外線信号として送信される。この場合、省エネリモコン装置１０からの赤外線信号には、上述したように、省エネリモコン装置１０を示す固有データが含まれている。
【００４３】
そして、ＨＤＤレコーダ３０の受光部３４により、その赤外線信号が受け取られると、モード切替判断制御部３５により、省エネリモコン装置１０からの赤外線信号であると判断され、その赤外線信号の省エネ操作データ１３ａに応じて表示部３１、チューナ部３６、記録再生部３７、出力部３８のいずれかの動作が制御される。
【００４４】
ここで、省エネリモコン装置１０に設けられている、録画ボタン１０ａ、再生ボタン１０ｂ、一時停止ボタン１０ｃ、停止ボタン１０ｄ、早送りボタン１０ｅ、早戻しボタン１０ｆは、上述したように、いずれもＨＤＤレコーダ３０での消費電力の少ないモードを選択するものである。よって、省エネリモコン装置１０による操作モードが実行される場合には、ユーザが意識すること無しに、常にＨＤＤレコーダ３０での消費電力の少ないモードを選択することが可能となる。
【００４５】
このように、本実施例では、ＨＤＤレコーダ３０がメインリモコン装置２０からの全てのモード選択、又は省エネリモコン装置１０からの消費電力が少ないモード選択の受け付けを行い、省エネリモコン装置１０からの消費電力が少ないモード選択の受け付けを、メインリモコン装置２０からの消費電力が少ないモード選択の受け付けを許可するモード選択を受け付けることで実行することができるようにし、省エネリモコン装置１０のモード選択に機能制限を持たせるようにすることができることから、ユーザに意識させることなく、機能制限に応じた遠隔操作を行わせることができる。
【００４６】
また、省エネリモコン装置１０による操作により、ユーザに意識させることなく、機能制限に応じた遠隔操作を行わせることができることから、結果的に、ＨＤＤレコーダ３０の消費電力の低減に寄与することが可能となる。
【００４７】
また、本実施例では、省エネリモコン装置１０からの赤外線信号に省エネリモコン装置１０を示す固有データが含まれるようにしたので、ＨＤＤレコーダ３０側では省エネリモコン装置１０からの赤外線信号であることを確実に識別することができる。
【００４８】
また、本実施例では、省エネリモコン装置１０に、ＨＤＤレコーダ３０での消費電力が多いモードの使用を禁止する機能制限を設けるために、消費電力の少ないモードを選択できる、たとえば録画ボタン１０ａ、再生ボタン１０ｂ、一時停止ボタン１０ｃ、停止ボタン１０ｄ、早送りボタン１０ｅ、早戻しボタン１０ｆを設けているため、省エネリモコン装置１０の小型軽量化を図ることができる。
【００４９】
なお、上述した省エネリモコン装置１０には、テレビの放送受信に切り替える切替ボタンが設けられていて、ＨＤＤレコーダ３０側には記録再生のいずれも行われていないときに省エネリモコン装置１０からのテレビの放送受信に切り替える赤外線信号を受け取ったとき、ＨＤＤレコーダ３０側の電源をオフする手段が設けられていてもよい。この場合には、メインリモコン装置２０の電源ボタン２１を操作しなくてもＨＤＤレコーダ３０側の電源がオフされるので、ユーザに意識させることなく、省エネ化を図ることができる。
【産業上の利用可能性】
【００５０】
赤外線信号等によって遠隔操作される全ての電子機器に適用可能である。
【図面の簡単な説明】
【００５１】
【図１】本発明のリモコンシステムの一実施例の概要を説明するための図である。
【図２】図１の省エネリモコン装置の内部構成の概要を説明するためのブロック図である。
【図３】図１のメインリモコン装置の内部構成の概要を説明するためのブロック図である。
【図４】図１のＨＤＤレコーダの内部構成の概要を説明するためのブロック図である。
【図５】図１のリモコンシステムにおける遠隔制御方法について説明するためのフローチャートである。
【符号の説明】
【００５２】
１０  省エネリモコン装置（第２のリモコン装置）
１０ａ  録画ボタン
１０ｂ  再生ボタン
１０ｃ  一時停止ボタン
１０ｄ  停止ボタン
１０ｅ  早送りボタン
１０ｆ  早戻しボタン
１２  入力部
１３  メモリ
１３ａ  省エネ操作データ
１４  送信部
２０  メインリモコン装置（第１のリモコン装置）
２１  電源ボタン
２２  モード切替ボタン
２２ａ  ランプ（表示手段）
２３  操作ボタン群
２４  表示部
２５  入力部
２６  メモリ
２６ａ  メイン操作データ
２７  送信部
３０  ＨＤＤレコーダ（電子機器）
３１  表示部
３２  記録媒体装填部
３３  操作ボタン群
３４  受光部
３５  モード切替判断制御部（モード切替判断制御手段）
３６  チューナ部
３７  記録再生部
３８  出力部
【図１】
2007172752.tif 000003
【図２】
2007172752.tif 000004
【図３】
2007172752.tif 000005
【図４】
2007172752.tif 000006
【図５】
2007172752.tif 000007